(57)【要約】【課題】開閉部と非常用分離部とを備え輪化が簡便なストラップ(51)を提供する。【解決手段】紐状ストラップ部(9)と一端部の第１連結部(7L)と他端部の第２連結部(7R)とを備え、第１連結部は端部から第１軸（CTR-L)に対して軸対称に突出する２以上の第１突出部(7Lb)を備え、第２連結部は端部から第２軸(CTR-R)に対して軸対称に突出する２以上の第２突出部(7Rb)を備え、第１突出部は内面に周方向に形成された凸なる第１係合部(7Lb1)を有し第２突出部は外面に周方向に形成された凹なる第２係合部(7Rb1)を有し、第１連結部及び第２連結部は互いに係合して第１の軸と第２の軸とを合致させる芯出し部(7Lt,7Rt)をそれぞれ有し、第１係合部と第２係合部とは芯出し部により第１軸と第２軸とを合致させて同軸とした際に、同軸方向の所定位置で同軸まわりの回動を許容しつつ係合し合うと共に同軸まわりに所定の角度回動した際に回動が解除される構成にした。【選択図】図４
2009100409.tif 000002
【特許請求の範囲】
【請求項１】
紐状のストラップ部と、
前記ストラップ部の一端部に設けられた第１連結部と、
前記ストラップ部の他端部に設けられた第２連結部と、を備え、
前記第１連結部は、その端部から第１の軸に対して軸対称に突出する２つ以上の第１突出部を備え、
前記第２連結部は、その端部から第２の軸に対して軸対称に突出する２つ以上の第２突出部を備え、
前記第１突出部は、その内面に周方向に形成された凸または凹なる第１係合部を有し、
前記第２突出部は、その外面に周方向に形成された凹または凸なる第２係合部を有し、
前記第１連結部及び前記第２連結部は、互いに係合して前記第１の軸と前記第２の軸とを合致させる芯出し部をそれぞれ有し、
前記第１係合部と前記第２係合部とは、前記芯出し部により前記第１の軸と前記第２の軸とを合致させて同軸とした際に、前記同軸方向の所定の位置で前記同軸まわりの回動を許容しつつ係合し合うと共に、前記同軸まわりに所定の角度回動した際に、前記回動が解除されるよう形成されて成るストラップ。
【請求項２】
前記第１連結部及び第２連結部にそれぞれ設けられた芯出し部は、一方が凸部であり、他方が前記凸部と嵌合する凹部であることを特徴とする請求項１記載のストラップ。
【請求項３】
前記芯出し部は、前記所定の角度を越える回動を禁止する回動規制部を備えていることを特徴とする請求項２記載のストラップ。
【請求項４】
請求項１乃至３のいずれか１項に記載のストラップと、
前記ストラップの前記ストラップ部から分離して延出したコードと、
前記コードの端部に設けられた電気音響変換器と、を備えたことを特徴とするヘッドホン。
【発明の詳細な説明】
【技術分野】
【０００１】
本発明は、ストラップ及びそれを備えたヘッドホンに係り、特に、ストラップの開閉構造の改良技術に関する。
【背景技術】
【０００２】
携帯音楽端末の普及に伴い、その再生音を聴くためのヘッドホンとして、ヘッドバンドを備えずに軽量で取り扱いが容易な、例えばインナーイヤー型のヘッドホンが好まれている。
そして、このようなヘッドホンに対して、更に近年、使用時の取り扱いがより容易となるように、首に掛けるストラップを一体化した、いわゆるネックストラップタイプのヘッドホンが普及してきている。
一方、ストラップについては、そのストラップを直接携帯音楽端末や携帯電話に取り付けて首にかける使用形態も常態化してきている。
【０００３】
このようなネックストラップタイプのヘッドホンの一例として、特許文献１及び特許文献２に記載されたものがある。
また、ストラップの一例としては特許文献３に記載されたものがある。
【０００４】
【特許文献１】登録実用新案第３０３９６９４号公報
【特許文献２】特開２００１−３１３９９１号公報
【特許文献３】特開２００１−２１８６１３号公報
【発明の開示】
【発明が解決しようとする課題】
【０００５】
この首に掛けるストラップは、当然に輪として形成されるので、首にかける際の利便性のために、使用者が意図的に輪の一部を分離できるような開閉部を備えたものがあり、上述した特許文献１及び特許文献２にも、それぞれ首輪開閉手段１１及び連結部材６，７として記載されている。
【０００６】
一方、ストラップが輪として閉じられた状態では、このストラップが意図せずに壁のフックなどに引っかかるなどして強い張力が加わる可能性も否定できない。
このようにストラップに強い張力が加わった場合に容易に分離する非常用分離部を備えたものがあり、これは上述した特許文献３に記載されている。
さらに、この非常用分離部と、開閉部とを独立して両方備えたものが知られている（図６参照）。
【０００７】
図６における従来のヘッドホン１０１は、右耳用及び左耳用の一対の本体部１０２Ｌ，１０２Ｒと、各本体部１から延びるコード１０３Ｌ，１０３Ｒと、コード１０３Ｌ，１０３Ｒとを、中継部１０４で連結し、中間部にブッシング１０５が設けられた第１ストラップ１０６と、第１ストラップ１０６の一方の端部に設けられたストラップの開閉部１０７と、他方の端部に設けられた非常用分離部１０８と、両端部がそれぞれストラップの開閉部１０７及び非常用分離部１０８に対して分離接続される第２ストラップ１０９と、を備えている。
【０００８】
このヘッドホン１０１は、開閉部１０７及び非常用分離部１０８で第１ストラップ１０６と第２ストラップ１０９とをそれぞれ連結するものである。
【０００９】
ブッシング１０５からは、携帯音楽端末などの音声出力機器に接続するためのプラグ１１０がコード１１１を介して引き出されている。
【００１０】
この従来のヘッドホン１０１においては、開閉部１０７と非常用分離部１０８とが、左右に独立してそれぞれ１つずつ設けられている。そのため、このヘッドホン１０１を首に掛けた使用状態でストラップ１０９を開閉部１０７で分離しようとした際に、開閉部１０７が左右のどちら側にあるかを判別する必要があり、ストラップの取り外しに手間取る場合があった。
また、首にかけた際に、体の正面側から開閉部１０７や非常用分離部１０８が視認されるので、デザイン上のアクセントにはなるものの、逆に装着感を軽く見せる場合には、工夫が必要になるものであった。
また、第１ストラップ１０６の両端にそれぞれ開閉部１０７及び非常用分離部１０８の片方側の部材が設けられ、第２ストラップ１０９の両端にそれぞれ開閉部及び非常用分離部と結合する部材が設けられているので、第２ストラップ１０９と第１ストラップ１０６とを連結する場合には互いの向きに配慮しなければならず、向きを気にせずにより簡便に結合できることが望まれていた。
また、第１ストラップ及び第２ストラップの各両端部に、合計４種の部材を使用してコスト高となるので、コストを低減できる構造が求められていた。
【００１１】
そこで、本発明が解決しようとする課題は、輪状であって輪を開閉できるストラップ及びそれを備えたヘッドホンにおいて、ストラップに、使用者が意図して開閉できる開閉部と過張力付与時に分離する非常用分離部との両方を備えながらも、開閉に手間取ることがなく、結合して（閉じて）輪にすることが簡便であり、コストを低減できるストラップ及びそれを備えたヘッドホンを提供することにある。
【課題を解決するための手段】
【００１２】
上記の課題を解決するために、本願発明は手段として次の１）〜４）の構成を有する。
１）  紐状のストラップ部（９）と、
前記ストラップ部（９）の一端部に設けられた第１連結部（７Ｌ）と、
前記ストラップ部（９）の他端部に設けられた第２連結部（７Ｒ）と、を備え、
前記第１連結部（７Ｌ）は、その端部から第１の軸（ＣＴＲ−Ｌ）に対して軸対称に突出する２つ以上の第１突出部（７Ｌｂ）を備え、
前記第２連結部（７Ｒ）は、その端部から第２の軸（ＣＴＲ−Ｒ）に対して軸対称に突出する２つ以上の第２突出部（７Ｒｂ）を備え、
前記第１突出部（７Ｌｂ）は、その内面に周方向に形成された凸または凹なる第１係合部（７Ｌｂ１）を有し、
前記第２突出部（７Ｒ）は、その外面に周方向に形成された凹または凸なる第２係合部（７Ｒｂ１）を有し、
前記第１連結部（７Ｌ）及び前記第２連結部（７Ｒ）は、互いに係合して前記第１の軸（ＣＴＲ−Ｌ）と前記第２の軸（ＣＴＲ−Ｒ）とを合致させる芯出し部（７Ｌｔ，７Ｒｔ）をそれぞれ有し、
前記第１係合部（７Ｌｂ１）と前記第２係合部（７Ｒｂ１）とは、前記芯出し部（７Ｌｔ，７Ｒｔ）により前記第１の軸（ＣＴＲ−Ｌ）と前記第２の軸（ＣＴＲ−Ｒ）とを合致させて同軸とした際に、前記同軸方向の所定の位置で前記同軸まわりの回動を許容しつつ係合し合うと共に、前記同軸まわりに所定の角度回動した際に、前記回動が解除されるよう形成されて成るストラップ（５１）である。
２）  前記第１連結部（７Ｌ）及び第２連結部（７Ｒ）にそれぞれ設けられた芯出し部（７Ｌｔ，７Ｒｔ）は、一方が凸部であり、他方が前記凸部と嵌合する凹部であることを特徴とする１）に記載のストラップ（５１）である。
３）  前記芯出し部（７Ｌｔ，７Ｒｔ）は、前記所定の角度を越える回動を禁止する回動規制部（７Ｌｔ２，７Ｒｔ２，７Ｒｔ３）を備えていることを特徴とする２）に記載のストラップ（５１）である。
４）  １）乃至３）のいずれかに記載のストラップ（５１）と、
前記ストラップ（５１）の前記ストラップ部（９）から分離して延出したコード（２Ｌ，２Ｒ）と、
前記コード（２Ｌ，２Ｒ）の端部に設けられた電気音響変換器（１Ｌ，１Ｒ）と、を備えたことを特徴とするヘッドホン（５０）である。
【発明の効果】
【００１３】
本発明によれば、開閉に手間取ることがなく、閉じて輪にすることが簡便であり、コストを低減できる、という効果を奏する。
【発明を実施するための最良の形態】
【００１４】
本発明の実施の形態を、好ましい実施例により図１〜図５を用いて説明する。
【００１５】
図１は、実施例のヘッドホン５０の外観斜視図である。
このヘッドホン５０は、ストラップ５１と、そのストラップ５１から分岐したコード２Ｌ，２Ｒと、その先端に設けられた一対の電気音響変換器１Ｌ，１Ｒと、を備えた、いわゆるネックストラップタイプのヘッドホンである。
【００１６】
具体的に説明すると、このヘッドホン５０は、音声を出力する一対の電気音響変換器であって左右の耳にそれぞれ装着される本体部１Ｌ，１Ｒと、この本体部１Ｌ，１Ｒからそれぞれ引き出されたコード２Ｌ，２Ｒと、紐輪状のストラップを構成する一対の第１ストラップ部３Ｌ，３Ｒと、第１ストラップ部３Ｌ，３Ｒの各一端側を結合する結合ハウジング４と、第１ストラップ部３Ｌ，３Ｒの各一端側とコード２Ｌ，２Ｒの一端側とをそれぞれ結合する中継ハウジング５Ｌ，５Ｒと、各中継ハウジング５Ｌ，５Ｒに一端側が連結され輪状のストラップの一部を構成する第２ストラップ部６Ｌ，６Ｒと、を備えている。
また、第２ストラップ部６Ｌ，６Ｒの他端側には、連結部７Ｌ，７Ｒがそれぞれ結合されている。
【００１７】
この構成において、連結部７Ｌ，７Ｒ及び結合ハウジング４を介して第１ストラップ部３Ｌ，３Ｒと第２ストラップ部６Ｌ，６Ｒとにより輪状とされ得るストラップ部９が形成されている。
また、一端に電気音響変換器１Ｌ，１Ｒが取り付けられたコード２Ｌ，２Ｒは、ストラップ部９から分離して延出した形態となっている。
【００１８】
結合ハウジング４からは、携帯音楽端末などの音声信号出力機器に接続するためのステレオタイプのプラグ１０がプラグコード１１を介して引き出されている。
第１ストラップ部３Ｌ，３Ｒ及び結合ハウジング４の中には、それぞれ図示しない信号線が連続して配設されており、本体部１Ｌ，１Ｒとプラグ１０とは左右２チャネルが独立してそれぞれ電気的に接続されている。
また、結合ハウジング４の近傍には、本体部１Ｌ，１Ｒを保持できる保持部１２Ｌ，１２Ｒを備えたホルダ１２がコード３Ｌ，３Ｒと一体に形成されている。
従って、ヘッドホン５０の不使用時には、本体部１Ｌ，１Ｒをこのホルダ１２に保持することができ、その収納や携帯が容易とされている。
【００１９】
結合ハウジング４，連結部７Ｌ，７Ｒは、ＰＰ（ポリプロピレン）やＡＢＳ（アクリロニトリル・ブタジエン・スチレン）などの熱可塑性樹脂により形成される。
【００２０】
このヘッドホン５０は、使用者が意図的に輪状のストラップ部９を開閉できる構造と、ストラップ部９に対して過度の張力が付与された場合に、安全確保及び破壊防止のため自動的に分離する構造と、を併せ備えている。この構造について、図２〜図５を用い詳述する。
【００２１】
図２は、第２ストラップ部６Ｌの一端に設けられた連結部７Ｌを説明する図である。また、図３は、第２ストラップ部６Ｒの一端に設けられた連結部７Ｒを説明する図である。
【００２２】
まず、図２において、連結部７Ｌは、樹脂材料により外径φｇＬなる略円筒状に形成されている。第１ストラップ部６Ｌは、この連結部７Ｌと一体的に固定されている。
端面７Ｌａには、その外周面に沿い円弧状に突出する大径係止爪７Ｌｂが軸ＣＴＲ−Ｌに対して軸対称となるように対向して一対設けられている。
【００２３】
また、この大径係止爪７Ｌｂは、軸ＣＴＲ−Ｌを中心としてその周方向角度幅が角度θ７Ｌｂで形成されている。この角度θ７Ｌｂは、この実施例では９０°以下とされている。
また、大径係止爪７Ｌｂの内周面には、中心に向かって断面三角形状に突出する係止凸部７Ｌｂ１が設けられている。
【００２４】
端面７Ｌａには、断面形状が中心を軸ＣＴＲ−Ｌとする半円形状となる係合凸部７Ｌｔが設けられている。すなわち、この係合凸部７Ｌｔの外側面は、半円筒面状の周面７Ｌｔ１（以下、側周面７Ｌｔ１とも称する）と平面７Ｌｔ２（以下、側平面７Ｒｔ２とも称する）とで構成されている。
そして、端面７Ｌａからこの係合凸部７Ｌｔの先端面７Ｌｔ３までの距離Ｌｔは、端面７Ｌａから大径係止爪７Ｌｂの先端面７Ｌｂ２までの距離Ｌｂよりも長くなるように設定されている。
【００２５】
係合凸部７Ｌｔの側平面７Ｌｔ２は、大径係止爪７Ｌｂの中心線ＣＬｂを含む位置に形成されている。
【００２６】
次に、図３を用いて連結部７Ｒについて説明する。
【００２７】
この図３において、連結部７Ｒも、樹脂材料により略円筒状に形成されている。第２ストラップ部６Ｒは、この連結部７Ｒと一体的に固定されている。
この連結部７Ｒの外径φｇＲは、連結部７Ｌの外径φｇＬとほぼ同径に設定されている。
端面７Ｒａには、外径φｇＲよりも小径で軸ＣＲＴ−Ｒを中心とする円弧状に突出する小径係止爪７Ｒｂが、その軸ＣＴＲ−Ｒに対して軸対称となるように対向して一対設けられている。
【００２８】
また、この小径係止爪７Ｒｂは、軸ＣＴＲ−Ｒを中心としてその周方向角度幅が角度θ７Ｒｂで形成されている。この角度θ７Ｒｂは、この実施例では９０°以下とされている。
また、小径係止爪７Ｒｂの外周面には、中心に向かって断面三角形状に凹んだ係止凹部７Ｒｂ１が設けられている。
【００２９】
端面７Ｒａには、断面形状が中心を軸ＣＴＲ−Ｒとする角度βの扇型形状となる穴として係合凹部７Ｒｔが設けられている。すなわち、この係合凹部７Ｒｔの内側面は、円弧状の周面７Ｒｔ１（以下、円弧面７Ｒｔ１とも称する）と角度βの両端側となる２つの平面７Ｒｔ２，７Ｒｔ３（以下、端平面７Ｒｔ２，７Ｒｔ３とも称する）とで構成されている。
そして、連結部７Ｒにおける端面７Ｒａからこの係合凹部７Ｒｔの底面７Ｒｔ４までの距離Ｌｈは、少なくとも、連結部７Ｌにおける大径係止爪７Ｌｂの先端面７Ｌｂ２から係合凸部７Ｌｔの先端面７Ｌｔ３までの距離（Ｌｔ−Ｌｂ）とほぼ同じになるよう設定されている。
【００３０】
また、この実施例において角度βは２７０°とされ、一方の端平面７Ｒｔ２が、小径係止爪７Ｒｂの中心線ＣＲｂを含む位置に形成されている。
さらに具体的には、図３に示すように軸ＣＴＲ−Ｒ回りの角度を０°，９０°，１８０°，及び２７０°と設定すると、端平面７Ｒｔ２が２７０°の位置に、端平面７Ｒｔ３が０°に位置するように配設される。
【００３１】
上述した連結部７Ｌ，７Ｒは、図２及び図３の配置のまま、すなわち、連結部７Ｌにおける中心線ＣＬｂと、連結部７Ｒにおける中心線ＣＲｂとが直交する姿勢で両者を接近させて組み合わせることができる。
具体的には、連結部７Ｌにおける一対の大径係止爪７Ｌｂが、連結部７Ｒにおける一対の大径係止爪７Ｒｂの周方向間に嵌りこみ、連結部７Ｌの係合凸部７Ｌｔが連結部７Ｒの係合凹部７Ｒｔに挿入されるように組み合わされる。
ここで、係合凸部７Ｌｔと係合凹部７Ｒｔとは、互いに嵌合し、連結部７Ｌ，７Ｒの軸ＣＴＲ−ＬとＣＴＲ−Ｒとを合致させて同軸とするいわゆる芯出し手段として機能する。
【００３２】
この状態を基本係合状態と称することにすると、この基本係合状態において、係合凸部７Ｌｔの平面７Ｌｔ２は、係合凹部７Ｒｔの端平面７Ｒｔ３と近接対向又は当接している。
【００３３】
そして、基本係合状態から、連結部７Ｌ及び連結部７Ｒは、相対的に図３の反時計回り方向（矢印ＲＴ方向）回動させることができる。換言するならば、周方向の回動が許容される。
すなわち、この回動により、連結部７Ｌにおける大径係止爪７Ｌｂの係止凸部７Ｌｂ１が、連結部７Ｒにおける小径係止爪７Ｒｂの係止凹部７Ｒｂ１に対して周方向にスライドしつつ係合し、係合凸部７Ｌｔは、係合凹部７Ｒｔに挿入されたまま回動して、その側平面７Ｌｔ２が、係合凹部７Ｒｔの端平面７Ｒｔ２と接近対向する。
【００３４】
この実施例では、基本係合状態において、係合凸部７Ｌｔの先端面７Ｌｔ３を係合凹部７Ｒｔの底面７Ｒｔ４に突き当てながら両者の回動を行うと、係止凸部７Ｌｂ１と係止凹部７Ｒｂ１との軸（ＣＴＲ−Ｌ，ＣＴＲ−Ｒ）方向の位置が、互いに係合可能となるように設定されている。
【００３５】
この回動させた状態を回動係合状態と称することとし、基本係合状態及び回動係合状態を説明する模式図を図４に示す。
【００３６】
図４（Ａ）は、基本係合状態を説明するための模式的平面図であり、図４（Ｂ）は、回動係合状態を説明するための模式的平面図であり、図４（Ｃ）は、回動係合状態を説明するための図４（Ｂ）におけるＳ１−Ｓ１断面図である。
図４（Ａ）及び（Ｂ）においては、理解を容易にするために、連結部７Ｌ側にハッチングを付して示している。
また、図４（Ｂ）は、図４（Ａ）から連結部７Ｒ側を連結部７Ｌ側に対して反時計回り（矢印ＲＴ２方向）に９０°回動させた状態となっている。
【００３７】
これらの図からわかるように、基本係合状態〔図４（Ａ）〕は、連結部７Ｌと連結部７Ｒとが連結されてなく、離接可能な状態である。
回動係合状態〔図４（Ｂ）〕は、係止凸部７Ｌｂ１と係止凹部７Ｒｂ１とが係合し合い、分離させるのに所定の力が必要な状態になっている。
【００３８】
すなわち、回動係合状態は、ストラップ部９を連結した輪として使用可能な状態であると共に、両連結部７Ｌ，７Ｒを引き離す方向に過大な力が付与された場合には、係止凸部７Ｌｂ１と係止凹部７Ｒｂ１との係合が解除されて連結部７Ｌ，７Ｒが直ちに分離する状態である。従って、外部からストラップに何らかの過大な力が加わった場合でも、このストラップを着用した使用者に何ら影響が与えられることはない。
【００３９】
また、係合凸部７Ｌｔと係合凹部７Ｒｔとは、側平面７Ｌｔ２が、係合凹部７Ｒｔの端平面７Ｒｔ２と端平面７Ｒｔ３とに当接することで、回動角度の両端側を規制するストッパ手段として機能している。この実施例では、２７０°の相対的回動を許容している。
【００４０】
以上、詳述したように、この実施例においては、連結部７Ｌ，７Ｒを、互いを所定の向きで接近させて基本係合状態とし、基本係合状態から両者を相対回動させて回動係合状態とすることで、ストラップ５１を連結した輪とすることができる。
また、回動係合状態から逆の方向に回動させることも、もちろん許容されており、所定の角度（実施例では９０°）逆方向に回動すると、係止凸部７Ｌｂ１と係止凹部７Ｒｂ１との係合が解除された基本係合状態に戻って、輪とされたストラップ５１を容易に分離して紐状にすることができる。
すなわち、ストラップ５１の開閉に手間取ることはなく、簡便に閉じて輪とすることができる。
また、回動係合状態においては、ストラップ５１を分離する方向に過大な力が加わると非常的に分離するので、このストラップ５１やそれを備えたヘッドホン５０は、安全に使用することができる。
【００４１】
実施例において、これらの効果は、一対の連結部７Ｌ，７Ｒだけで発揮することができるので、コストを低減することができる。
【００４２】
本発明の実施例は、上述した構成及び手順に限定されるものではなく、本発明の要旨を逸脱しない範囲において変形例としてもよいのは言うまでもない。
基本係合状態と回動係合状態となる回動位置で、クリック感が得られるようにすることは、使用者に良好な使用感を与えることができるので好ましい。
【００４３】
そのクリック感を付与する方法は、周知の方法が利用できるが、例として、図５（ａ），（ｂ）に示すように、係止凸部７Ｌｂ１の一部に更に突出する位置出し凸部７Ｌｂｂを設け、これに対応する係止凹部７Ｒｂ１の一部に、更に凹んだ位置出し凹部７Ｒｂｂを設ける方法などがある。
【００４４】
実施例においては、係止凸部７Ｌｂ１と係止凹部７Ｒｂ１とがそれぞれ２つの例を説明したが、２つに限るものではなく、それぞれ軸対称に複数設けられていればよい。また、基本係合状態と回動係合状態との間を移行するための回動角度も、９０°に限定されるものではない。この回動角度に応じて、係止凸部７Ｌｂ１及び係止凹部７Ｒｂ１の数を適宜設定すればよい。
【００４５】
ヘッドホン５０は、電気音響変換器を一対備えたいわゆるステレオタイプのものに限らず、ストラップ部から１つのコードが分離して延出し、その先端に電気音響変換器を一つ備えたモノラルタイプのヘッドホンであってもよいことは言うまでもない。
【図面の簡単な説明】
【００４６】
【図１】本発明のヘッドホンの実施例の外観を示す斜視図である。
【図２】本発明のヘッドホンの実施例における第１要部を説明するための図である。
【図３】本発明のヘッドホンの実施例における第２要部を説明するための図である。
【図４】本発明のヘッドホンの実施例における第１要部と第２要部との係合を説明するための図である。
【図５】本発明のヘッドホンの実施例における変形例を説明するための図である。
【図６】従来のヘッドホンを示す斜視図である。
【符号の説明】
【００４７】
１Ｌ，１Ｒ  電器音響変換器
２Ｌ，２Ｒ  コード
３Ｌ，３Ｒ  第１ストラップ部
４  ハウジング
５Ｌ，５Ｒ  中継ハウジング
６Ｌ，６Ｒ  第２ストラップ部
７Ｌ，７Ｒ  連結部
７Ｌａ  端面
７Ｌｂ  大径係止爪
７Ｌｂ１  係止凸部
７Ｌｂ２  先端面
７Ｌｂｂ  位置だし凸部
７Ｌｔ  係合凸部
７Ｌｔ１  側周面
７Ｌｔ２  側平面
７Ｌｔ３  先端面
７Ｒａ  端面
７Ｒｂ  小径係止爪
７Ｒｂ１  係止凹部
７Ｒｔ  係合凹部
７Ｒｔ１  円弧面
７Ｒｔ２，７Ｒｔ３  端平面
７Ｒｔ４  底面
７Ｒｂｂ  位置だし凹部
９  ストラップ部
１０  プラグ
１１  プラグコード
１２  ホルダ
１２Ｌ，１２Ｒ  保持部
５０  ヘッドホン
５１  ストラップ
ＣＬｂ，ＣＲｂ  中心線
ＣＴＲ−Ｌ，ＣＴＲ−Ｒ  軸
Ｌｔ，Ｌｂ，Ｌｈ  距離
φｇＬ，φｇＲ  外径
θ７Ｌｂ，θ７Ｒｂ１，β  角度
【図１】
2009100409.tif 000003
【図２】
2009100409.tif 000004
【図３】
2009100409.tif 000005
【図４】
2009100409.tif 000006
【図５】
2009100409.tif 000007
【図６】
2009100409.tif 000008